(57)【特許請求の範囲】
【請求項１】
利用者の頭部に取り付けられる本体ベースと、
前記本体ベースよりも薄いシート状の部分ベースと、を備え、
前記部分ベースは、前記本体ベースの前方端部全体の前方であって、装着者の頭部とおでこの境界部分の生え際領域に前記本体ベースと分離して取り付けられることを特徴とするアップバング用かつら。
【請求項２】
請求項１に記載のアップバング用かつらにおいて、
前記部分ベースは、帯状であって長さ方向における幅が略同一に形成されていることを特徴とするアップバング用かつら。
【請求項３】
請求項１又は請求項２に記載のアップバング用かつらにおいて、
前記部分ベースは、複数の前記部分ベースを切り取り可能な大きさを有するシート状の基材を備えていることを特徴とするアップバング用かつら。
【請求項４】
請求項１乃至３のいずれか一項に記載のアップバング用かつらにおいて、
前記本体ベースは凹部を有し、前記凹部に前記部分ベースが配置されることを特徴とするアップバング用かつら
【発明の詳細な説明】
【技術分野】
【０００１】
本発明は、アップバング用かつらに関し、詳しくは、複数のベースを備えたアップバング用かつらに関する。
【背景技術】
【０００２】
従来から、装着者に合わせて、その頭部に装着されるネット状のベースに人毛又は人工毛からなる毛髪を植毛して形成されたかつらが知られている。
【０００３】
この種のかつらは、本物の頭髪であるかのように見える点が重要であるものの、かつらの毛髪は、ベースに植毛されたものであるため、そのままで本物の頭髪を完全に再現するのは困難である。
【０００４】
一方、本物の頭髪は、頭部の各領域によりその密度が異なり、特に生え際は産毛が混在するとともに、その径も小さい。そこで、本物の頭髪を疑似再現すべく、ベースの前方部（生え際）に、主毛よりも細い毛を植毛したかつらが提案されている（特許文献１参照）。
【先行技術文献】
【特許文献】
【０００５】
【特許文献１】特開２００７−１８６８１９号公報
【発明の概要】
【発明が解決しようとする課題】
【０００６】
しかしながら、上記特許文献１に記載のかつらは、生え際に細い毛を植毛することによって産毛等の再現を図っているが、ヘアスタイルを例えばアップバングと称される前髪を上にあげて額を露出させるスタイルにした場合、生え際が目立ってしまい、結局、かつらを装着していることが他人から明らかにわかってしまう。
【０００７】
そこで、本発明は上記問題に鑑みてなされたものであり、生え際がわかりにくいアップバング用かつらを提供することを目的とする。
【課題を解決するための手段】
【０００８】
上記課題を解決するため、本発明は次のような構成を採用する。なお、本発明の理解を容易にするため図面の参照符号を括弧書きで付するが、本発明はこれに限定されるものではない。
【０００９】
本発明に係るアップバング用かつら（１）は、利用者の頭部に取り付けられる本体ベース（２０）と、前記本体ベースよりも薄いシート状の部分ベース（１０）と、を備え、前記部分ベースは、前記本体ベースの前方端部全体の前方であって、装着者の頭部とおでこの境界部分の生え際領域（５０）に前記本体ベースと分離して取り付けられることを特徴とする。
【００１０】
また、本発明に係るアップバング用かつらは、請求項１に記載のアップバング用かつらにおいて、前記部分ベースは、前記部分ベースは、長さ方向における幅が略同一に形成されていることを特徴とする。
【００１１】
また、本発明に係るアップバング用かつらは、請求項１又は請求項２に記載のアップバング用かつらにおいて、前記部分ベースは、複数の前記部分ベースを切り取り可能な大きさを有するシート状の基材を備えていることを特徴とする。
【００１２】
また、本発明に係るアップバング用かつらは、請求項１乃至３のいずれか一項に記載のアップバング用かつらにおいて、前記本体ベースは凹部を有し、前記凹部に前記部分ベースが配置されることを特徴とする。
【発明の効果】
【００１３】
本発明に係るかつらは、本体ベースと、本体ベースの前方に取り付けられ、この本体ベースよりも薄いシート状の部分ベースと、を備え、部分ベースは、装着者の生え際領域に取り付けられるとともに、本体ベースと分離して設けられることで、前髪を立たせたヘアスタイルにしてもかつらを装着していることがわかりづらく、他人には極めて自然な頭髪と映る。
【００１４】
また、本体ベースと部分ベースが分離されており、本体ベースは肉厚に形成されている点で耐久性を有しており、部分ベースのみを変更可能である。したがって、部分ベースのみを変更したい場合に対応可能であり、装着者はかつらの全部を取り換えなくても良く、取り替えの為のコストの低減化を図れる。
【図面の簡単な説明】
【００１５】
【図１】第１の実施形態に係るかつらが装着される部分を説明するための模式図である。
【図２】第１の実施形態に係るかつらの構成を示す模式図である。
【図３】複数の部分ベースを備える基材の一例を示す模式図である。
【図４】第１の実施形態に係るかつらの装着例を説明するための模式図である。
【図５】第１の実施形態に係るかつらを装着した一例を示す模式図である。
【図６】第２の実施形態に係るかつらを装着した一例を示す模式図である。
【図７】第２の実施形態に係るかつらの構成を示す模式図である。
【発明を実施するための形態】
【００１６】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１７】
まず、図１〜図５を用いて第１の実施形態のかつら１について説明する。本実施形態のかつら１は、図１に示す前頭部２、頭頂部４、及び後頭部６の前方に装着され、後頭部６の後方と側頭部８は自毛を用いる一例について説明する。
【００１８】
図１及び図２に示すように、本実施形態のかつら１は、装着者の頭部の前頭部２、頭頂部４、及び後頭部６の前方に装着され、少なくとも頭髪の生え際を含む生え際領域５０に装着される部分ベース１０と、その他の領域に装着される本体ベース２０と、を別体として分離して備えている。
【００１９】
なお、前頭部２とは、おでこ１ａよりも後方であって頭頂部よりも前方を言い、頭髪の生え際を含む領域である。また、生え際領域５０とは、明確な基準があるわけではないが、人の頭部の左右のこめかみ間であって頭部とおでこ１ａの境界を含むその周辺領域を言い、およそ図１に示す位置関係に相当するものと考えればよい。
【００２０】
部分ベース１０と本体ベース２０は、シート状の部材の表面に毛髪が植毛又は縫着されて形成されている。ここで、シート状の部材とは、平たい部材を意味するものであって、略コットン等の天然繊維或いはナイロン、ポリエステルなどの合成繊維の布状又はレースによって形成されたネット状、若しくは柔軟な合成樹脂等で成形した人工皮膚、又はウレタン等で形成されている。この毛髪は、図２中の破線や図５中の実線で示される人毛又は人工毛で形成される。
【００２１】
本体ベース２０は、図１及び図２に示すように、例えば、装着者の頭頂部４を頂点とした周囲に装着可能な大きさを有する１枚のシート状の部材２０ａで形成される。本体ベース２０は部分ベース１０を除く領域に装着されるものであって、部分ベース１０が装着される凹部２１を有する。なお、本体ベース２０に凹部２１を形成したのは、部分ベース１０を装着した際の境界が凸凹になるのを避けるために適宜形成されるものであって、この凹部２１の形状は部分ベース１０の形状によって異なる。したがって、装着者の頭部に部分ベース１０と本体ベース２０を装着した際に、その境界が違和感なく自然な曲線又は直線を描いていれば良く、その場合、本体ベース２０には凹部２１は必要ない。
【００２２】
なお、本実施形態において、全体ベース２０は、１枚のシート状の部材で構成されているが、分割して形成されても構わない。
【００２３】
この本体ベース２０の膜厚は、一般的なかつらのベース部材と同等もしくは若干厚く形成されており、例えば、１〜２ｍｍに形成されている。このように本体ベース２０を肉厚とすることで耐久性を持たせることが可能である。
【００２４】
図示しないが、本体ベース２０に植毛等される毛髪は、例えば、通常のかつらに用いられるφ０．０５〜０．０８ｍｍの大径の毛髪が植設されるが、地肌部分に近い領域に、φ０．０３〜０．０５ｍｍの小径の毛髪が植設されても構わない。人間の頭髪は、地肌部分から突如として太い径の髪が生えているのではなく、地肌部分に近いほど細く柔らかい髪が生えているのが通常だからである。
【００２５】
なお、本体ベース２０を前方部、中央部、後方部の領域に区分けし、その領域毎に、植毛密度を変えても良いし、径の異なる毛髪を混在しても良い。一般的に生えている頭髪の植毛密度や毛髪の径を領域毎に近似させることで、かつらの毛をより自然に見せることが可能となる。
【００２６】
一方、部分ベース１０は、人の頭部の左右のこめかみ間であっておでこの一部を含む生え際領域５０に装着され、帯状に形成された１枚のシート状の部材１０ａで形成される。本実施形態のかつら１において、この部分ベース１０は、本体ベース２０の凹部２１に配置される。
【００２７】
また、部分ベース１０の膜厚は、本体ベース２０の膜厚よりも薄く形成されており、例えば、０．０７ｍｍに形成されている。このように生え際領域に設けられる部分ベース１０の膜厚を本体ベース２０（一般的なかつらのベース部材）の膜厚よりも薄く形成することで、生え際を目立ちにくくさせることが可能となる。
【００２８】
この部分ベース１０には、本体ベース２０と同様に毛髪が植毛されて形成されているが、本体ベース２０に植毛されている毛髪よりも細いことが好ましく、例えば、φ０．０１〜０．０５ｍｍの小径の毛髪が植設される。一般的に、生え際（地肌部分に近い部分）に有する毛の径は、頭頂部付近に生えている毛の径よりも小さいからである。
【００２９】
また、部分ベース１０の前端から本体ベース２０との境界（後端）までの幅Ｗは略同一幅に形成されている。
【００３０】
なお、図示しないが、部分ベース１０と本体ベース２０の境界は、波状又はギザギザ状等の凹凸部が形成されても構わない。このようにすれば、境界部分がぼかされて目立たちにくくなるからである。なお、この凹凸部を設けるか否かは任意である。
【００３１】
このように、本実施形態のかつら１は、部分ベース１０の膜厚を本体ベース２０（一般的なかつらのベース部材）よりも薄く形成したため、生え際を目立ちにくくさせることができる。
【００３２】
したがって、装着者の頭部にかつら１を装着した状態において、極めて自然な頭髪と映るため、他者に違和感を覚えさせることもない。なお、本実施形態では、装着者を男性としているが、特に装着者の性別は限定されるものではない。
【００３３】
本実施形態は、ヘアスタイルをいわゆる「アップバング」にしたい場合に特に有効であるが、この形態に限定されるものではない。長髪であっても、風などの影響により生え際が立ち上がってもきわめて自然な頭髪とすることが可能だからである。
【００３４】
また、図３に示すように、部分ベース１０は、所定の形状に形成され、部分ベース１０を複数切り取り可能に形成された基材１５から切り取られて用いられる。この基材１５の表面には、人工毛又は人毛が植毛されている。また、基材１５には、例えば、破線等によるカッティングラインＣＬが設けられており、簡単に所望の形状が得られるように容易にカットすることができるようになっている。
【００３５】
次に、本実施形態のかつらの装着方法について図４を用いて説明する。なお、以下の説明では、装着者の頭頂部４近傍に頭髪が生えてない領域がある場合に装着される一例であり、装着者の側頭部８は自毛を用い、装着者の頭部の前頭部２、頭頂部４、後頭部６にかつら１を装着する一例を説明する。
【００３６】
まず、図４（ａ）に示すように、装着者の頭部の頭髪状態に基づいてかつら１を装着する装着領域Ｘ（二点鎖線で示す領域）を特定し、図４（ｂ）に示すように、装着者の頭部の装着領域Ｘをバリカン等で刈り上げる。なお、前頭部２の前端部中央に生え際の髪５５を有するときには、例えば、刈らずに残される。この生え際の髪５５を残すことによって、かつら１装着時に自然な頭髪とすることができる。なお、生え際の髪５５については、残さずに刈ってしまっても構わないし、装着領域Ｘを確保するためにバリカン等で刈り上げなくとも構わない。
【００３７】
次に、図２に示すような、この装着領域Ｘに装着される本体ベース２０と部分ベース１０を用意する。本体ベース２０は、前頭部２の一部、頭頂部４、後頭部６の前方を覆う１枚のシート状の基材が用意され、部分ベース１０は、生え際として規定された図４（ｂ）中斜線部で示される領域Ｙの形状に対応するシート状の部材が基材１５から切り取られて用意される。なお、用意された本体ベース２０と部分ベース１０の裏面には、頭部への貼着のための両面テープが貼り付けられる。なお、適宜、液体接着剤を塗っても構わない。この際、部分ベース１０は装着者の好みや生え際の形状に応じて任意に基材１５から切りだすことができるので、装着者の頭部の形状や生え際の形状に応じて自然な頭髪とすることができる。
【００３８】
最後に、図４（ｂ）及び図４（ｃ）に示すように、刈らずに残した生え際の髪５５の後に、部分ベース１０、その後方に本体ベース２０を装着して、頭髪を整えて、かつら１の装着処理を終了する。
【００３９】
このように、本実施形態に係るかつら１は、部分かつらとして用いられる一例であって、図５に示すように、装着者の頭部の一部に装着されるシート状の本体ベース２０と、本体ベース２０の前方に取り付けられ、この本体ベース２０よりも薄いシート状の部分ベース１０と、を備え、部分ベース１０は、装着者の生え際領域５０に取り付けられるとともに、本体ベース２０と分離して設けられることで、前髪を立たせてもかつらを装着していることがわかりづらく、他人には極めて自然な頭髪と映る。
【００４０】
また、かつら１は、図２に示すように、本体ベース２０と部分ベース１０は別体として分離して用意されており、本体ベース２０は肉厚に形成されている点で耐久性を有していることから、部分ベース１０のみを容易に変えることが可能である。また、本体ベース２０は耐久性を有しているので、洗濯することで繰り返し使用することが可能である。
【００４１】
次に、第２の実施形態のかつら１Ａについて図６及び図７を用いて説明する。なお、図６において、図１及び図２と共通する部分には同一符号を付し、それらの詳細な説明は省略する。また、以下の説明において、本体ベース７０や部分ベース７５の材質や膜厚、及び本体ベース７０や部分ベース７５に植毛される毛髪等は、上記実施形態の本体ベース２０と部分ベース１０と共通するためそれらの詳細な説明は省略する。
【００４２】
第１の実施形態のかつら１は、側頭部８及び後頭部６の後方は自毛が用いられる一例であるが、第２の実施形態のかつら１Ａは、頭部全体にかつら１Ａを装着する一例である点で異なる。
【００４３】
図６に示すように、本実施形態のかつら１Ａは、装着者の頭部の前頭部２、頭頂部４、後頭部６及び側頭部８に装着されるもので、少なくとも頭髪の生え際を含む生え際領域５０、５０ａに装着される部分ベース１０、７５と、その他の領域に装着される本体ベース７０と、を別体として分離して備えている。また、本体ベース７０と部分ベース１０、７５は、シート状の部材の表面に毛髪が植毛又は縫着されて形成されている。
【００４４】
なお、前頭部２とは、おでこ１ａよりも後方であって頭頂部よりも前方を言い、頭髪の生え際を含む領域である。また、側頭部８とは、こめかみよりも後方であって後頭部６よりも前方を言い、頭髪の生え際を含む領域である。また、生え際領域５０、５０ａとは、明確な基準があるわけではないが、人の頭部の左右のこめかみ間であって頭部とおでこ１ａの境界を含むその周辺領域、及び顔面と側頭部８の境界を含むその周辺領域を言い、およそ図６に示す位置関係に相当するものと考えればよい。
【００４５】
本体ベース７０は、図６及び図７に示すように、例えば、装着者の頭頂部４、後頭部６、側頭部８に装着可能な大きさを有するシート状の部材７０ａで形成される。この部材７０ａは、例えば、前頭部２、頭頂部４、後頭部６の前方を含む頭部の中央に配置されるウレタン等の材質で形成された部材７１と、その周囲に配置されるレース等で形成されたネット状の部材７２と、が一体的に形成されたものである。
【００４６】
また、本体ベース７０は、部分ベース１０、７５を除く領域に装着されるものであって、部分ベース１０、７５が装着される凹部２１、８１を有する。
【００４７】
一方、部分ベース１０は、前頭部２前方の生え際領域５０に装着され、帯状に形成された１枚のシート状の部材１０ａで形成される。本実施形態のかつら１Ａにおいて、この部分ベース１０は、本体ベース２０の凹部２１に配置される。
【００４８】
また、他の部分ベース７５は、側頭部８前方の生え際領域５０ａに装着され、帯状に形成された１枚のシート状の部材７５ａで形成される。本実施形態のかつら１Ａにおいて、この他の部分ベース７５は、本体ベース２０の凹部８１に配置される。
【００４９】
また、各部分ベース１０、７５の膜厚は、本体ベース７０の膜厚よりも薄く形成されており、例えば、０．０７ｍｍに形成されている。このように生え際領域に設けられる部分ベース１０の膜厚を本体ベース７０（一般的なかつらのベース部材）の膜厚よりも薄く形成することで、生え際を目立ちにくくさせることが可能となる。
【００５０】
また、部分ベース１０、７５の前端から本体ベース７０との境界（後端）までの幅は略同一幅に形成されている。
【００５１】
なお、図示しないが、部分ベース１０、７５と本体ベース７０の境界は、波状又はギザギザ状等の凹凸部が形成されても構わない。このようにすれば、境界部分がぼかされて目立たちにくくなるからである。なお、この凹凸部を設けるか否かは任意である。
【００５２】
このように、本実施形態に係るかつら１Ａは、頭部全体にかつら１Ａを装着したい場合の一例であって、図６に示すように、装着者の頭部全体に装着されるシート状の本体ベース７０と、本体ベース７０の前方に取り付けられ、この本体ベース７０よりも薄いシート状の部分ベース１０、７５と、を備え、部分ベース１０、７５は、装着者の生え際領域５０、５０ａに取り付けられるとともに、本体ベース７０と分離して設けられることで、かつら１Ａを装着していることがわかりづらく、他人には極めて自然な頭髪と映る。
【００５３】
なお、本実施形態において、本体ベース７０は、２枚のシート状の部材を一体的に構成されているが、同質の材料で形成された１枚のシート状の部材で構成されても構わない。
【００５４】
また、上述した本実施形態に係るかつらでは、全体ベース２０と部分ベース１０は分離して別体として設けられているが、一体的に設けられても構わない。この様な変更又は改良を加えた形態も本発明の技術的範囲に含まれうることが、特許請求の範囲の記載から明らかである。
【符号の説明】
【００５５】
１  かつら
１０  部分ベース
１５  基材
２０  本体ベース
２１  凹部
５０  生え際領域
【図１】
0006296402.tif 000002
【図２】
0006296402.tif 000003
【図３】
0006296402.tif 000004
【図４】
0006296402.tif 000005
【図５】
0006296402.tif 000006
【図６】
0006296402.tif 000007
【図７】
0006296402.tif 000008